(57)【要約】      （修正有）【課題】従来の指紋照合機を不特定多数の利用者が操作する場所に設置するためには、利用時以外の指紋センサーの保護のための保護カバーの設置や、メンテナンスのための洗浄装置をつけるなどの措置を講じ誤作動を防止する。【解決手段】（１）従来のカードと暗証番号に加え、個人特有で年齢による変化のない生体情報をマッチングさせ登録することにより、２重、３重のセキュリティーを施す。（２）また、カードを挿入し、暗証番号入力した時にのみセンサーの保護カバーが開くため、“いたずら”などによる破損を防止できる。（３）保護カバーが開くと同時に保護カバーと連結してスライドする自動洗浄機がセンサー読取面を洗浄するため、利用者は常にきれいな状態で利用できる。（４）登録者以外の指紋照合を不可能にし、又一度不正利用された指紋による登録及び照合に対しての通報システムにより、不正利用者の特定ができる。【選択図】図２
2005202904.tif 000002
【特許請求の範囲】
【請求項１】
銀行の現金自動支払機などにおいて従来使用されてきた磁気カード（キャッシュカード・クレジットカード）又はＩＣカードと暗証番号による使用者認証（カードを必要とせず、ＩＤ番号とパスワードによって利用が可能となるものも含む）において
指紋等の個人の生体情報をマッチングさせ、そのデータを暗号化したのち専用回線を通じてサーバーに送り、登録・保存できるシステムを有した指紋登録装置。
【請求項２】
銀行の現金自動支払機などにおいて従来使用されてきた磁気カード（キャッシュカード・クレジットカード）又はＩＣカードと暗証番号による使用者承認（カードを必要とせず、ＩＤ番号とパスワードによって利用が可能となるものも含む）において
利用者がカード情報及び暗証番号に個人特有の生体情報である指紋データをマッチングさせ、そのデータを暗号化し、専用回線を通じてサーバーに送り、既に登録されているカード情報・暗証番号及び指紋データと一致するかを判定し、その判定結果を再び送り返すシステムを有した指紋照合装置。
【請求項３】
前記請求項１記載の指紋登録装置及び請求項２記載の指紋照合装置の両方を有する指紋登録・照合装置。
【請求項４】
前記請求項３記載の指紋登録・照合装置において
接触された指の指紋を読み取る読取面を外部から遮断し、保護しておくための自動開閉式保護カバー。
【請求項５】
前記自動開閉式保護カバーの開閉は、利用者がカードを挿入後、暗証番号を入力することで、複数回往復しながら開き、指紋登録又は指紋照合が終了した後、速やかに閉まることを特徴とする自動開閉装置。
【請求項６】
前記自動開閉式保護カバーが開く際に読取面を自動的に洗浄する自動洗浄装置を敷設した自動開閉式保護カバー。
【請求項７】
前記自動洗浄方式は、保護カバーが開く時、微量のアルコールなどの溶剤を瞬時に読取面に拭きかけた後複数回往復することで、前記保護カバー下部に取り付けられた毛細刷毛が、読取面を洗浄することを特徴とする自動洗浄機。
【請求項８】
前記保護カバーの開く際の自動洗浄において瞬時に微量のアルコールなどの溶剤の噴射が可能となる自動噴射装置付き自動洗浄機。
【請求項９】
前記請求項８記載のアルコールなどの溶剤は、必ずしもそれに限るものではなく、あくまでも洗浄するという目的において、紫外線などによる殺菌洗浄等を含めて考えられる。その際には、その洗浄作用のある物質の形状等により、噴射装置はノズルとは限られず、噴射物質により形状も変わるものである。
【請求項１０】
前記保護カバーと自動洗浄のための毛細刷毛及び噴射装置は、必ずしも一体になっている必要は無く、上部に保護カバーがあり、下部に毛細刷毛と溶剤噴射装置を具備した板を置くという二重構造も考えられる。その際は、保護カバーは複数回往復する必要もなくなり、保護カバーがゆっくり開いたのち洗浄装置がスライドしながら指紋読み取り面を洗浄することとなる。
また、洗浄装置はスライドして内部に入った後、汚れた毛細刷毛をさらに洗浄する装置を備え、常にきれいな状態を保てるようにしてある。
【請求項１１】
前記請求項６記載の自動洗浄装置を敷設した自動開閉式保護カバーを設けたことを特徴とする前記請求項３記載の指紋登録・照合機により、利用者本人を特定したのち、利用者の口座へのアクセス権を付与し、本来の取引業務を行なうことが可能となる現金自動支払機。
【請求項１２】
上記指紋登録・照合装置は、利用者が登録又は照合の選択ボタンを押すことによって電源が入る仕組みになっており、常に電源がオンの状態であることでの電力の消費を防ぐ。
【請求項１３】
また上記指紋登録・照合装置付現金自動支払機において、一度不正利用された指紋をサーバー上に登録しておき、その指紋を利用して登録又は、照合を行なおうとした場合に、警備会社に通報するシステム。
【請求項１４】
上記請求項１１の自動洗浄・自動開閉式保護カバーを敷設した指紋登録・照合機付現金自動支払機は、今後の利用が見込まれる指紋以外の顔、静脈、虹彩などの他のバイオメトリクスによる認証方式を排除するものではなく、それぞれの認証方法においても有効に働くものである。
【発明の詳細な説明】
【技術分野】
【０００１】本発明は、現行の磁気カード（キャッシュカード・クレジットカード）及びＩＣカードが利用可能な現金自動支払機において、カード保持者と利用者を特定するための生体情報である指紋の登録及び照合が可能な指紋登録・照合装置とその管理及びメンテナンスのための自動洗浄可能な自動開閉カバーに関する。
【技術背景】
【０００２】近年韓国ウリ銀行で採用された指紋照合機（特許文献１・２・３・４参照）付きの現金自動支払機や日本国内において特許出願中の指紋を用いた現金自動支払機又は集金装置（特許文献５参照）など、指紋を利用したＡＴＭ（現金自動支払機）が出て来た。
【０００３】しかし、指紋などの生体情報だけによる個人の認証方法は、将来的にはカードレスの商取引というものを想起させるものではあるが、銀行及びクレジットカード会社等が、今後カードを発行せずに、本人照合のために指紋などの生体情報を事前登録させ、すべての業務を生体情報の照合による本人確認によって行なうという世界は、極めて非現実的なものである。
【０００４】つまり現行のＡＴＭ（自動現金支払機）などによる金融取引の際の本人確認は、やはりカード及び暗証番号等によるものが主流となり得るが、利用者本人自身が、盗難や偽造などによる被害を回避するために、積極的に指紋などの生体情報をカード情報及び暗証番号とマッチングさせて登録しておけるシステムがあれば、より安全な商取引が可能となる。
【０００５】また、指紋認証センサーの読取面を保護するために保護カバー（特許文献６参照）を付帯し、赤外線センサーが人体を感知した際に自動的に開くしくみが考えられているが、利用者以外の人体の接近でも開いてしまうため、いたずらなどによる破損を免れない。
【０００６】また、多くの利用者が触れる指紋センサーの指紋の読取面は、汚れによる誤作動を防ぐため常にきれいな状態に保たれていなければならない。その点に関しては、読取面のフィルターをトイレットペーパーのようにロール状にして、利用ごとに回転させるという方式が出願されている（特許文献７参照）が、内部構造がかなり大掛かりになってしまうという欠点を有する。
【０００７】
【特許文献１】韓国特許庁  登録特許番号  １０−０４０２７００
【特許文献２】韓国特許庁  出願番号  １９９８−０１７６５０
【特許文献３】韓国特許庁  出願番号  １９９８−０１７６５１
【特許文献４】韓国特許庁  出願番号  ２０００−１６９３１
【特許文献５】日本特許庁  特許出願公開番号  ２０００−４０１７５
【特許文献６】日本特許庁  特許出願公開番号  ２００１−１４３０５２
【特許文献７】日本特許庁  特許出願公開番号  特開平１１−３３９００４
【発明の開示】
【発明が解決しようとする課題】
【０００８】近年クレジットカード・キャッシュカードの盗難・紛失またはスキミング行為などによる偽造犯罪が後を絶たない昨今において、それらの犯罪行為による被害をいかに早期に察知するかという課題の解決が急務である。【０００９】これに対しＩＣカードの普及計画によって課題の解決を図ろうとする動きがあるものの、ＩＣカード自体の社会的な普及までに時間が要する点と、ＩＣカードに事前に登録する情報が、暗証番号やパスワードなどのＰＩＮ（Ｐｅｒｓｏｎａｌ  Ｉｄｅｎｔｉｆｉｅｒ  Ｎｕｍｂｅｒ）に依存する形であれば、厳密に言えば登録者本人以外でも情報漏洩、ハッキングなどによる“なりすまし”が行なわれる可能性を否定できない点において、引き続き課題を残すものである。【００１０】これらの解決方策として、ＩＣカードに指紋認証などの生体情報を事前登録する方法が期待されているが、事前登録に必要な処理装置などがカード保有者ごとに必要になるため、現実的には困難を呈している。【００１１】また、近年韓国の金融機関において指紋照合機付きのＡＴＭ（現金自動支払機）が登場したり、国内においてもカード不要の指紋だけを用いた現金自動支払機又は集金装置に対する特許洗願が出されているが、指紋および他の生体情報だけを用いた個人認証技術だけによる金融取引は、多くの場所・形態での利用が望まれるだけにそのインフラの構築には多大な時間と費用がかかる。【００１２】一方現金自動支払機などカード保有者の大半が利用する端末に、指紋センサーなど生体情報認証デバイスを装着させ、初期カード利用時に、磁気カード及び暗証番号と指紋データの登録を行い、その後カード利用毎に個人認証する手段において
端末を操作する人が不特定多数である点と、端末設置場所が常駐監視員の存在しない場所など多岐に渡る点から、指紋認証センサーなど生体情報認証デバイスのメンテナンスや“いたずら”などによる破損防止をいかに解決するかという課題もある。【００１３】赤外線による自動開閉装置では、利用目的者以外でも開けることが可能であり、またセンサーの誤作動により開いてしまうことも憂慮される。【００１４】本発明はこうした課題を解決するものであり、簡単な操作により個人認証のための生体情報をカード情報及び暗証番号と共に登録し、また利用時毎に既に登録済みのデータとの照合を可能にするデバイスが付帯した現金自動支払機を提供することにより、他人によるなりすましなどの犯罪を未然に防ぐことを可能にするとともに、センサー表面を保護しまた常にクリアな状態に保つことにより、本人認証の際の誤作動を無くし本人拒否率及び他人許容率を低める効果のある自動開閉装置を付帯するものである。
【課題を解決するための手段】
【００１５】本発明では、磁気カード（キャッシュカード・クレジットカード）及びＩＣカードを挿入し暗証番号を入力すると、指紋センサー保護カバーが開くと同時に、カバー内側についている毛細刷毛によりセンサー表面が洗浄される。その際保護カバーが開く寸前に保護カバーの内側に敷設した噴射装置よりアルコール溶剤が噴射されることにより、汚れを除去しやすくした。
その後、登録または認証のボタンを押すことで、指紋センサーの電源がオンになり指紋の読み取りが可能になる。登録により押された指紋データは、カード情報及び暗証番号とともに暗号化され専用回線を通じてサーバーへ送られデータのマッチングが行なわれたあと登録・保存される。使用時に押された指紋データは同じく磁気カード情報及び暗証番号とともに暗号化され専用回線を通じてサーバーに送られた後、登録されたデータと照合され、照合の合否が判断される。照合の結果同一と認められるたことを伝える電文を送ることにより、本人の口座へのアクセス権が認められる通常の金融取引業務が行なえるようになるか、カード会社による与信判定が行なえるようになる。【００１６】また、すでにカードなどを利用せず、ＩＤとパスワードによる本人認証によって取引業務を行なっているところでも、同様にＩＤ及びパスワードに生体情報である指紋などのデータをマッチングさせて登録しておくことも可能である。
【発明の効果】
【００１７】本発明は、従来の磁気カード、クレジットカード、ＩＣカードとＰＩＮなどでの２段階による本人認証に加え、個人特有で年齢による変化のない普遍的な生体情報である指紋などを利用することによる数段階の個人認証を可能にする登録及び照合装置を、従来より利用されていた現金自動支払機に設置することで、多くの人々が容易に登録・照合・利用が可能になるだけでなく、万一、生体情報が登録前のカードが盗難に会い、暗証番号まで知られてしまった場合でも、犯罪者は自分の指紋を登録しないと利用できないというしくみのため、結果的に犯罪を未然に防ぐことは不可能であっても、犯罪者の指紋のデータが残ることにより、犯罪の確実な証拠を採取できる。【００１８】また、一度不正に使われた指紋情報が登録されることにより、再度不正操作を行なった場合は瞬時に警備会社等に通報されるシステムをつけることにより、犯罪を未然に防ぐことが可能になる。
【産業上の利用可能性】
【００１９】本発明は、従来様々な場所で行なわれていた本人確認の方法に、あくまで個人の意思により、不正や犯罪を防止する目的で個人の生体情報をマッチングさせて登録・照合できるシステムを敷設するものであり、ＡＴＭ（現金自動支払機）以外の多くの場所・及びシステムにおいて共用できるものである。たとえば、ドアの開閉などの入退室管理やパソコンによるアクセス制御のために行なっていたものとの組み合わせで不正侵入者を排除したり、警備会社に通報し犯人を捕まえることも可能である。
それ以外にも個人所有の金庫などにおいて行なわれていた施錠または開錠においても有効に機能する。
【図面の簡単な説明】
【００２０】
【図１】本発明の請求項１１記載の現金自動支払機の実施例を示す図である。
【図２】本発明の請求項３及び請求項４記載のアルコール溶剤の自動噴射装置が付帯した自動洗浄機付きの一体型自動開閉式保護カバーの断面図である。
【図３】前記の自動噴射装置付き自動洗浄機と自動開閉保護カバーが分離した形の断面図である。
【符号の説明】
【００２１】１  毛細刷毛
２  アルコール噴出ノズル
３  保護カバー
４  現金自動支払機の防護板
５  指紋データ読取装置
６  刷毛洗浄機
７  指紋読取面
【図１】
2005202904.tif 000003
【図２】
2005202904.tif 000004
【図３】
2005202904.tif 000005